(57)【特許請求の範囲】
【請求項１】
乗員によって所持されて応答要求信号を受信すると応答信号を送信する携帯機と、
車両の全てのドアが閉となったことを検出して検出結果の信号を出力する全ドア閉検出手段と、
前記全ドア閉検出手段から出力された前記検出結果の信号に基づき車両内部および車両外部の所定領域内に前記応答要求信号を送信すると共に、前記携帯機から送信された前記応答信号を受信する車両側送受信手段と、
前記車両側送受信手段により受信される前記応答信号に基づき、前記車両内部の所定領域内に送信された前記応答要求信号に対して前記携帯機から送信される前記応答信号が受信されないことを示す第１条件を含む、前記ドアを施錠するための所定条件が成立したことを判定して第１の判定結果の信号を出力する施錠条件判定手段と、
前記施錠条件判定手段から出力された前記第１の判定結果の信号に基づき前記車両外部に存在する前記乗員に認識可能に第１の態様で報知を行なう報知手段とを備える車両施錠装置であって、
前記施錠条件判定手段は、前記第１の判定結果の信号を出力した後に、前記ドアの施錠を禁止する条件として前記第１条件の不成立を判定して第２の判定結果の信号を出力し、
前記報知手段は、前記施錠条件判定手段から出力された前記第２の判定結果の信号に基づき前記第１の態様とは異なる第２の態様で前記車両外部に存在する前記乗員に認識可能に報知を行なうことを特徴とする車両施錠装置。
【請求項２】
乗員によって所持されて応答要求信号を受信すると応答信号を送信する携帯機と、
車両の全てのドアが閉となったことを検出して検出結果の信号を出力する全ドア閉検出手段と、
前記全ドア閉検出手段から出力された前記検出結果の信号に基づき車両内部および車両外部の所定領域内に前記応答要求信号を送信すると共に、前記携帯機から送信された前記応答信号を受信する車両側送受信手段と、
前記車両側送受信手段により受信される前記応答信号に基づき前記ドアを施錠するための所定条件が成立したことを判定して第１の判定結果の信号を出力する施錠条件判定手段と、
前記施錠条件判定手段から出力された前記第１の判定結果の信号に基づき前記車両外部に存在する前記乗員に認識可能に第１の態様で報知を行なう報知手段とを備える車両施錠装置であって、
前記施錠条件判定手段は、前記第１の判定結果の信号を出力した後に、前記ドアの施錠を禁止する条件が成立したことを判定して第２の判定結果の信号を出力し、
前記報知手段は、前記施錠条件判定手段から出力された前記第２の判定結果の信号に基づき前記第１の態様とは異なる第２の態様で前記車両外部に存在する前記乗員に認識可能に報知を行ない、
前記車両のドアが開となったことを検出して検出結果の信号を出力するドア開検出手段を備え、
前記施錠条件判定手段は、前記第１の判定結果の信号を出力する前に、前記車両側送受信手段により受信された前記応答信号に基づき前記ドアの施錠を禁止する条件が成立したことを判定して第３の判定結果の信号を出力し、
前記報知手段は、前記ドア開検出手段から出力された前記検出結果の信号に基づき前記第２の態様で前記車両外部に存在する前記乗員に認識可能に報知を行なうと共に、前記施錠条件判定手段から出力された前記第３の判定結果の信号に基づき前記第１および前記第２の態様とは異なる第３の態様で前記車両外部に存在する前記乗員に認識可能に報知を行なうことを特徴とする車両施錠装置。
【請求項３】
前記ドアを施錠するための前記所定条件は、前記車両側送受信手段から前記車両内部の所定領域内に送信された前記応答要求信号に対して前記携帯機から送信される前記応答信号が受信されず、かつ、前記車両側送受信手段から前記車両外部の所定領域内に送信された前記応答要求信号に対して前記携帯機から送信される前記応答信号が受信された場合に成立し、
前記ドアの施錠を禁止する条件は、前記車両側送受信手段から前記車両内部の所定領域内に送信された前記応答要求信号に対して前記携帯機から送信される前記応答信号が受信された場合に成立することを特徴とする請求項１または請求項２に記載の車両施錠装置。
【請求項４】
前記携帯機と前記車両との間の距離を検出して検出結果の信号を出力する距離検出手段を備え、
前記報知手段は、所定輝度で発光または所定周期で点滅可能な表示手段を具備し、
前記表示手段は、前記距離検出手段から出力された前記検出結果の信号に応じて前記所定輝度または前記所定周期を変更することを特徴とする請求項１から請求項３の何れか１つに記載の車両施錠装置。
【請求項５】
前記車両側送受信手段は、前記施錠条件判定手段から出力された前記判定結果の信号を前記携帯機に送信可能であって、
前記携帯機は、前記車両側送受信手段から送信される前記判定結果の信号を受信可能であり、かつ前記判定結果の信号に基づき当該携帯機を所持する前記乗員に認識可能に報知を行なう携帯機側報知手段を備えることを特徴とする請求項１から請求項４の何れか１つに記載の車両施錠装置。
【発明の詳細な説明】
【技術分野】
【０００１】
本発明は、車両施錠装置に関する。
【背景技術】
【０００２】
従来、例えば車両ドアが閉じられた後に、乗員が所持する携帯機が車外通信エリアでの認証成立状態から認証不成立状態へと移行したときに、ドアロック条件が成立して車両ドアを自動的にロックするスマートエントリシステムが知られている。そして、このようなスマートエントリシステムにおいて、例えば車両ドアが閉じられた直後には、車外通信エリアを通常の第１通信エリアよりも広い第２通信エリアに設定する技術が知られている（例えば、特許文献１参照）。このスマートエントリシステムでは、車両ドアが閉じられた直後に、携帯機を所持する乗員が車両から急いで離れる場合であっても、車外通信エリアでの認証成立状態と、この認証成立状態から認証不成立状態への移行とを検知して、ドアロック条件を的確に成立させるようになっている。
【先行技術文献】
【特許文献】
【０００３】
【特許文献１】特開２００９−８４９０７号公報
【発明の概要】
【発明が解決しようとする課題】
【０００４】
ところで、上記従来技術に係るスマートエントリシステムによれば、車外通信エリアでの認証成立状態から認証不成立状態への移行に応じて、ドアロック条件が成立して車両ドアが自動的にロックされるのは、車両がオートロックモードに移行していることが前提となっている。つまり、車両がオートロックモードではない状態で、携帯機を所持する乗員が車両から急いで離れる場合には、乗員の認識に反してドアロック条件が成立せずに、車両ドアが自動的にロックされない虞があり、車両の防盗性が損なわれてしまうという問題が生じる。
また、このような問題が生じることに対して、例えば車外通信エリアでの認証成立の有無にかかわらず、車両ドアが閉じられてからの経過時間に応じて車両ドアを自動的にロックするように制御することも考えられるが、この場合には、携帯機を所持する乗員が意図しないロックが行なわれてしまう虞があり、利便性が損なわれてしまうという問題が生じる。
【０００５】
本発明は上記事情に鑑みてなされたもので、車両の防盗性および利便性を向上させることが可能な車両施錠装置を提供することを目的とする。
【課題を解決するための手段】
【０００６】
上記課題を解決して係る目的を達成するために、本発明の第１態様に係る車両施錠装置は、乗員によって所持されて応答要求信号を受信すると応答信号を送信する携帯機（例えば、実施の形態での携帯機１１）と、車両の全てのドアが閉となったことを検出して検出結果の信号を出力する全ドア閉検出手段（例えば、実施の形態でのドア開閉検出部３２）と、前記全ドア閉検出手段から出力された前記検出結果の信号に基づき車両内部および車両外部の所定領域内に前記応答要求信号を送信すると共に、前記携帯機から送信された前記応答信号を受信する車両側送受信手段（例えば、実施の形態での無線通信部３１）と、前記車両側送受信手段により受信される前記応答信号に基づき、前記車両内部の所定領域内に送信された前記応答要求信号に対して前記携帯機から送信される前記応答信号が受信されないことを示す第１条件を含む、前記ドアを施錠するための所定条件が成立したことを判定して第１の判定結果の信号を出力する施錠条件判定手段（例えば、実施の形態での制御部３４）と、前記施錠条件判定手段から出力された前記第１の判定結果の信号に基づき前記車両外部に存在する前記乗員に認識可能に第１の態様で報知を行なう報知手段（例えば、実施の形態での車両ブザー３６、車両インジケータ３７、携帯機ブザー２３、携帯機インジケータ２４）とを備える車両施錠装置であって、前記施錠条件判定手段は、前記第１の判定結果の信号を出力した後に、前記ドアの施錠を禁止する条件として前記第１条件の不成立を判定して第２の判定結果の信号を出力し、前記報知手段は、前記施錠条件判定手段から出力された前記第２の判定結果の信号に基づき前記第１の態様とは異なる第２の態様で前記車両外部に存在する前記乗員に認識可能に報知を行なう。
【０００７】
本発明の第２態様に係る車両施錠装置は、乗員によって所持されて応答要求信号を受信すると応答信号を送信する携帯機（例えば、実施の形態での携帯機１１）と、車両の全てのドアが閉となったことを検出して検出結果の信号を出力する全ドア閉検出手段（例えば、実施の形態でのドア開閉検出部３２）と、前記全ドア閉検出手段から出力された前記検出結果の信号に基づき車両内部および車両外部の所定領域内に前記応答要求信号を送信すると共に、前記携帯機から送信された前記応答信号を受信する車両側送受信手段（例えば、実施の形態での無線通信部３１）と、前記車両側送受信手段により受信される前記応答信号に基づき前記ドアを施錠するための所定条件が成立したことを判定して第１の判定結果の信号を出力する施錠条件判定手段（例えば、実施の形態での制御部３４）と、前記施錠条件判定手段から出力された前記第１の判定結果の信号に基づき前記車両外部に存在する前記乗員に認識可能に第１の態様で報知を行なう報知手段（例えば、実施の形態での車両ブザー３６、車両インジケータ３７、携帯機ブザー２３、携帯機インジケータ２４）とを備える車両施錠装置であって、前記施錠条件判定手段は、前記第１の判定結果の信号を出力した後に、前記ドアの施錠を禁止する条件が成立したことを判定して第２の判定結果の信号を出力し、前記報知手段は、前記施錠条件判定手段から出力された前記第２の判定結果の信号に基づき前記第１の態様とは異なる第２の態様で前記車両外部に存在する前記乗員に認識可能に報知を行ない、前記車両のドアが開となったことを検出して検出結果の信号を出力するドア開検出手段（例えば、実施の形態でのドア開閉検出部３２）を備え、前記施錠条件判定手段は、前記第１の判定結果の信号を出力する前に、前記車両側送受信手段により受信された前記応答信号に基づき前記ドアの施錠を禁止する条件が成立したことを判定して第３の判定結果の信号を出力し、前記報知手段は、前記ドア開検出手段から出力された前記検出結果の信号に基づき前記第２の態様で前記車両外部に存在する前記乗員に認識可能に報知を行なうと共に、前記施錠条件判定手段から出力された前記第３の判定結果の信号に基づき前記第１および前記第２の態様とは異なる第３の態様で前記車両外部に存在する前記乗員に認識可能に報知を行なう。
さらに、本発明の第３態様に係る車両施錠装置では、前記ドアを施錠するための前記所定条件は、前記車両側送受信手段から前記車両内部の所定領域内に送信された前記応答要求信号に対して前記携帯機から送信される前記応答信号が受信されず、かつ、前記車両側送受信手段から前記車両外部の所定領域内に送信された前記応答要求信号に対して前記携帯機から送信される前記応答信号が受信された場合に成立し、前記ドアの施錠を禁止する条件は、前記車両側送受信手段から前記車両内部の所定領域内に送信された前記応答要求信号に対して前記携帯機から送信される前記応答信号が受信された場合に成立する。
【０００９】
さらに、本発明の第４態様に係る車両施錠装置は、前記携帯機と前記車両との間の距離を検出して検出結果の信号を出力する距離検出手段（例えば、実施の形態での距離検出部３３）を備え、前記報知手段は、所定輝度で発光または所定周期で点滅可能な表示手段を具備し、前記表示手段は、前記距離検出手段から出力された前記検出結果の信号に応じて前記所定輝度または前記所定周期を変更する。
【００１０】
さらに、本発明の第５態様に係る車両施錠装置では、前記車両側送受信手段は、前記施錠条件判定手段から出力された前記判定結果の信号を前記携帯機に送信可能であって、前記携帯機は、前記車両側送受信手段から送信される前記判定結果の信号を受信可能であり、かつ前記判定結果の信号に基づき当該携帯機を所持する前記乗員に認識可能に報知を行なう携帯機側報知手段（例えば、実施の形態での携帯機ブザー２３、携帯機インジケータ２４）を備える。
【発明の効果】
【００１１】
本発明の第１態様に係る車両施錠装置によれば、ドアを施錠するための所定条件が成立したか否か、あるいは、ドアの施錠を禁止する条件が成立したか否かを、車両外部の乗員に認識可能に報知することから、利便性を向上させることができる。
また、ドアを施錠するための所定条件が成立して第１の態様で報知が行なわれた後に、ドアの施錠を禁止する条件が成立した場合には、第１の態様とは異なる第２の態様で報知が行なわれることから、ドアが施錠されると乗員が誤認識している場合であっても、ドアの施錠が禁止されていることを認識させることができ、車両の防盗性が損なわれてしまうことを防止することができる。
【００１２】
また、本発明の第２態様に係る車両施錠装置によれば、ドアを施錠するための所定条件が成立する可能性がある場合と無い場合とで異なる態様で報知を行なうことから、状態の遷移を乗員に明確に認識させることができる。
さらに、本発明の第３態様に係る車両施錠装置によれば、携帯機が車両内部から車両外部に持ち出された後に、例えばドアの開閉や窓の隙間からの車両内部への投げ込みなどよって、再び携帯機が車両内部に戻された場合には、ドアの施錠が禁止されることから、携帯機の車内への閉じ込みの発生を的確に防止することができる。
【００１４】
さらに、本発明の第４態様に係る車両施錠装置によれば、乗員と車両との間の距離に応じて適切な表示状態で報知を行なうことができ、視認性を向上させることができる。
【００１５】
さらに、本発明の第５態様に係る車両施錠装置によれば、車両周辺での視認性が良好ではない場合（例えば、昼間時など）や車両周囲の騒音が大きい場合などにおいて、報知の認識が困難な場合であっても、携帯機から報知を行なうことで的確に乗員に認識させることができ、利便性を向上させることができる。
【図面の簡単な説明】
【００１６】
【図１】本発明の実施の形態に係る車両施錠装置の構成図である。
【図２】本発明の実施の形態に係る車両施錠装置の車両インジケータを示す図である。
【図３】本発明の実施の形態に係る車両施錠装置の動作を示すフローチャートである。
【図４】本発明の実施の形態に係る車両施錠装置の動作を示すフローチャートである。
【図５】本発明の実施の形態に係る車両施錠装置の動作を示すタイミングチャートである。
【図６】本発明の実施の形態の変形例に係る車両施錠装置の動作を示すフローチャートである。
【発明を実施するための形態】
【００１７】
以下、本発明の車両施錠装置の一実施形態について添付図面を参照しながら説明する。
本実施の形態による車両施錠装置１０は、例えば図１に示すように、車両の乗員などにより所持および携帯可能な無線通信端末をなす携帯機１１と、携帯機１１と無線通信可能で車両に搭載された車載装置１２とを備えて構成されている。
【００１８】
携帯機１１は、例えば、無線通信部２１と、携帯機制御部２２と、携帯機ブザー２３と、携帯機インジケータ２４とを備えて構成されている。
【００１９】
無線通信部２１は、後述する車載装置１２の無線通信部３１と無線通信による通信接続可能であり、車載装置１２の無線通信部３１から発信される応答要求信号などの各種の信号を受信可能であり、かつ、この応答要求信号に応じた応答信号などの各種の信号を車載装置１２の無線通信部３１に送信可能である。
無線通信部２１の送受信動作は携帯機制御部２２により制御されており、無線通信部２１は、例えば車載装置１２の無線通信部３１から発信された応答要求信号を受信すると、この応答要求信号に応じた応答信号を送信する。また、例えば携帯機１１の各種の操作スイッチ（図示略）が操作者により操作されると、この操作に応じて車載装置１２の動作（例えば、ドアロックアクチュエータ３５の動作など）を指示する制御指令の信号を送信する。
【００２０】
携帯機制御部２２は、車載装置１２の無線通信部３１から発信される各種の信号あるいは携帯機１１の各種の操作スイッチ（図示略）に対する操作者の入力操作に応じて、無線通信部２１の送受信動作と、携帯機ブザー２３および携帯機インジケータ２４の動作とを制御する。
例えば、携帯機制御部２２は、後述する車載装置１２の無線通信部３１から送信された第１〜第３の判定結果の信号が無線通信部２１により受信されると、これらの信号に応じて携帯機ブザー２３の吹鳴（例えば、吹鳴回数、音量、吹鳴周期など）と携帯機インジケータ２４の表示（例えば、点灯や点滅、発光の輝度、発光色、点滅回数、点滅周期など）を制御して、携帯機１１を所持する操作者（例えば、車両の乗員など）が認識可能な報知を行なう。
【００２１】
車載装置１２は、例えば、無線通信部３１と、ドア開閉検出部３２と、距離検出部３３と、制御部３４と、ドアロックアクチュエータ３５と、車両ブザー３６と、車両インジケータ３７とを備えて構成されている。
【００２２】
無線通信部３１は、携帯機１１の無線通信部２１と無線通信による通信接続可能であり、例えば、車両内部の所定領域内と車両外部の所定領域内とを独立した通信領域として、各通信領域毎に存在する携帯機１１を通信対象として、応答要求信号などの各種の信号を発信可能であり、かつ、この応答要求信号に応じた応答信号などの各種の信号（つまり、携帯機１１の無線通信部２１から送信される信号）を受信可能である。
無線通信部３１の送受信動作は制御部３４により制御されており、無線通信部３１は、応答要求信号の発信に加えて、例えば、後述する第１〜第３の判定結果の信号と、距離検出部３３から出力される検出結果の信号となどを携帯機１１の無線通信部２１に送信する。
【００２３】
ドア開閉検出部３２は、車両の全てのドアが閉となったことを検出して検出結果の信号を出力すると共に、車両の何れかのドアが開となったことを検出して検出結果の信号を出力する。
距離検出部３３は、携帯機１１の無線通信部２１と車載装置１２の無線通信部３１との間で確立された無線通信接続での受信信号強度を検出し、この受信信号強度に基づき、携帯機１１と車載装置１２との間の距離を検出して検出結果の信号を出力する。
【００２４】
制御部３４は、携帯機１１の無線通信部２１から送信される各種の信号と、各検出部３２，３３から出力される検出結果の信号と、車載装置１２の各種の操作スイッチ（図示略）に対する操作者の入力操作とに応じて、無線通信部３１の送受信動作と、ドアロックアクチュエータ３５の動作と、車両ブザー３６および車両インジケータ３７の動作とを制御する。
【００２５】
例えば、制御部３４は、ドア開閉検出部３２から出力される車両の全てのドアが閉となったことの検出結果の信号に基づき、無線通信部３１から車両内部の所定領域内と車両外部の所定領域内とに独立して応答要求信号を発信する。そして、これらの応答要求信号に応じて携帯機１１から送信される応答信号が無線通信部３１に受信されたか否かによって、ドアを施錠するための所定条件が成立したか否かを判定する。具体的には、車両内部の所定領域内に発信した応答要求信号に対する応答信号が受信されず、かつ、車両外部の所定領域内に発信した応答要求信号に対する応答信号が受信された場合には、ドアを施錠するための所定条件が成立したことを判定して第１の判定結果の信号を出力する。そして、この第１の判定結果の信号に基づき車両ブザー３６の吹鳴（例えば、吹鳴回数、音量、吹鳴周期など）と車両インジケータ３７の表示（例えば、点灯や点滅、発光の輝度、発光色、点滅回数、点滅周期など）を制御して、車両外部に存在する乗員が認識可能な第１の態様で報知を行なう。また、この第１の判定結果の信号を無線通信部３１から携帯機１１の無線通信部２１に送信して、携帯機ブザー２３の吹鳴（例えば、吹鳴回数、音量、吹鳴周期など）と携帯機インジケータ２４の表示（例えば、点灯や点滅、発光の輝度、発光色、点滅回数、点滅周期など）を制御して、携帯機１１を所持する操作者（例えば、車両の乗員など）が認識可能な第１の態様で報知を行なう。
【００２６】
さらに、制御部３４は、第１の判定結果の信号を出力した後に、車両内部の所定領域内と車両外部の所定領域内とに独立して発信される応答要求信号に応じて携帯機１１から送信される応答信号が無線通信部３１に受信されたか否かによって、ドアの施錠を禁止する条件が成立したか否かを判定する。具体的には、第１の判定結果の信号を出力した後に、車両内部の所定領域内に発信した応答要求信号に対する応答信号が受信された場合には、ドアの施錠を禁止する条件が成立したことを判定して第２の判定結果の信号を出力する。そして、この第２の判定結果の信号に基づき車両ブザー３６の吹鳴（例えば、吹鳴回数、音量、吹鳴周期など）と車両インジケータ３７の表示（例えば、点灯や点滅、発光の輝度、発光色、点滅回数、点滅周期など）を制御して、第１の態様とは異なる第２の態様で車両外部に存在する乗員が認識可能な報知を行なう。また、この第２の判定結果の信号を無線通信部３１から携帯機１１の無線通信部２１に送信して、携帯機ブザー２３の吹鳴（例えば、吹鳴回数、音量、吹鳴周期など）と携帯機インジケータ２４の表示（例えば、点灯や点滅、発光の輝度、発光色、点滅回数、点滅周期など）を制御して、第１の態様とは異なる第２の態様で携帯機１１を所持する操作者（例えば、車両の乗員など）が認識可能な報知を行なう。
【００２７】
また、制御部３４は、第１の判定結果の信号を出力する前に、車両内部の所定領域内と車両外部の所定領域内とに独立して発信される応答要求信号に応じて携帯機１１から送信される応答信号が無線通信部３１に受信されたか否かによって、ドアの施錠を禁止する条件が成立したか否かを判定する。具体的には、第１の判定結果の信号を出力する前に、車両内部の所定領域内に発信した応答要求信号に対する応答信号が受信された場合には、ドアの施錠を禁止する条件が成立したことを判定して第３の判定結果の信号を出力する。そして、この第３の判定結果の信号に基づき車両ブザー３６の吹鳴（例えば、吹鳴回数、音量、吹鳴周期など）と車両インジケータ３７の表示（例えば、点灯や点滅、発光の輝度、発光色、点滅回数、点滅周期など）を制御して、第１および第２の態様とは異なる第３の態様で車両外部に存在する乗員が認識可能な報知を行なう。また、この第３の判定結果の信号を無線通信部３１から携帯機１１の無線通信部２１に送信して、携帯機ブザー２３の吹鳴（例えば、吹鳴回数、音量、吹鳴周期など）と携帯機インジケータ２４の表示（例えば、点灯や点滅、発光の輝度、発光色、点滅回数、点滅周期など）を制御して、第１および第２の態様とは異なる第３の態様で携帯機１１を所持する操作者（例えば、車両の乗員など）が認識可能な報知を行なう。
【００２８】
また、制御部３４は、距離検出部３３から出力される検出結果の信号に応じて車両ブザー３６の吹鳴と車両インジケータ３７の表示との動作状態を変更する。
例えば下記表１に示すように、制御部３４は、携帯機１１と車載装置１２との間の距離が長くなるほど、車両インジケータ３７の発光の輝度を増大させたり、点滅周期を短くすることによって、車両外部に存在する乗員が認識し易くなるようにして、報知の動作状態を変更する。
【００２９】
【表１】
0005550949.tif 000002
【００３０】
ドアロックアクチュエータ３５は、制御部３４から出力される制御指令に応じて車両のドアの施錠および開錠を行なう。
例えば、制御部３４は、ドアを施錠するための所定条件が成立したことを判定して第１の判定結果の信号を出力した以後に、車両外部の所定領域内に発信した応答要求信号に対する応答信号が受信されなくなってから所定期間（例えば、２秒など）が経過した場合に、ドアロックアクチュエータ３５を駆動して車両の全てのドアを施錠する。
【００３１】
車両ブザー３６は、制御部３４から出力される制御指令に応じて車両外部に存在する乗員が認識可能な吹鳴を行なう。
車両インジケータ３７は、例えば図２に示すように、車両のドアミラー４１や、車両のアウタードアハンドル４２や、車両のピラー（図示略）や、車両のルームミラー（図示略）や、車両のヘッドアップディスプレイ（図示略）や、メータパネル（図示略）や、ステアリングコラム（図示略）などに設けられた灯体やモニタなどであって、車両外部の乗員（つまり、携帯機１１を所持する操作者など）から視認可能とされている。
【００３２】
この実施の形態による車両施錠装置１０は上記構成を備えており、次に、この車両施錠装置１０の動作について説明する。
【００３３】
先ず、例えば図３に示すステップＳ０１においては、車両の何れかのドアが閉から開になったか否かを判定する。
この判定結果が「ＮＯ」の場合には、ステップＳ０２に進み、このステップＳ０２においては、後述するオートロック作動処理を実行して、エンドに進む。
一方、この判定結果が「ＹＥＳ」の場合には、ステップＳ０３に進む。
そして、ステップＳ０３においては、例えば図５に示す時刻ｔ０から時刻ｔ１の期間および下記表２に示すオートロックモード未起動の動作のように、車両インジケータ３７で赤色点灯を行なう。
【００３４】
【表２】
0005550949.tif 000003
【００３５】
そして、ステップＳ０４においては、車両の全てのドアが開から閉になったか否かを判定する。
この判定結果が「ＮＯ」の場合には、後述するステップＳ０２に進む。
一方、この判定結果が「ＹＥＳ」の場合には、ステップＳ０５に進む。
そして、ステップＳ０５においては、車両のイグニッションスイッチがオフ、かつアクセサリー電源がオフであるか否かを判定する。
この判定結果が「ＮＯ」の場合には、ステップＳ０６に進み、このステップＳ０６においては、第３の判定結果の信号を出力し、上記表２に示すオートロックモード禁止の動作のように、車両インジケータ３７で赤色点灯を消灯することによって、第３の態様での報知を実行し、ステップＳ０２に進む。
一方、この判定結果が「ＹＥＳ」の場合には、ステップＳ０７に進む。
【００３６】
そして、ステップＳ０７においては、車両内部の所定領域内に発信した応答要求信号に対する応答信号が受信されたか否かを判定する。
この判定結果が「ＹＥＳ」の場合には、上述したステップＳ０６に進む。
一方、この判定結果が「ＮＯ」の場合には、ステップＳ０８に進む。
そして、ステップＳ０８においては、車両内部の所定領域内に発信した応答要求信号に対する応答信号が受信されず、かつ、車両外部の所定領域内に発信した応答要求信号に対する応答信号が受信されたか否かを判定する。
この判定結果が「ＮＯ」の場合には、後述するステップＳ０２に進む。
一方、この判定結果が「ＹＥＳ」の場合には、ステップＳ０９に進む。
【００３７】
そして、ステップＳ０９においては、例えば図５に示す時刻ｔ１のように、第１の判定結果の信号を出力し、上記表２に示すオートロックモード起動の動作のように、車両インジケータ３７で赤色点灯を消灯し、かつ緑色点灯を行ない、さらに、ステップＳ１０に進み、このステップＳ１０においては、車両ブザー３６で１回吹鳴を行なうことによって、第１の態様での報知を実行し、ステップＳ１１に進む。
そして、ステップＳ１１においては、オートロックモード起動フラグのフラグ値に「１」を設定して、ステップＳ０２に進む。
【００３８】
以下に、上述したステップＳ０２におけるオートロック作動処理について説明する。
先ず、例えば図４に示すステップＳ２１においては、オートロックモード起動フラグのフラグ値に「１」が設定されているか否かを判定する。
この判定結果が「ＮＯ」の場合には、リターンに進む。
一方、この判定結果が「ＹＥＳ」の場合には、ステップＳ２２に進む。
【００３９】
そして、ステップＳ２２においては、車両内部の所定領域内に発信した応答要求信号に対する応答信号が受信されたか否かを判定する。
この判定結果が「ＹＥＳ」の場合には、後述するステップＳ２９に進む。
一方、この判定結果が「ＮＯ」の場合には、ステップＳ２３に進む。
そして、ステップＳ２３においては、車両外部の所定領域内に発信した応答要求信号に対する応答信号が受信されたか否かを判定する。
この判定結果が「ＹＥＳ」の場合には、ステップＳ２４に進み、このステップＳ２４においては、上記表２に示すオートロック作動前の動作のように、車両インジケータ３７で緑色点滅を行い、リターンに進む。
一方、この判定結果が「ＮＯ」の場合には、ステップＳ２５に進む。
【００４０】
そして、ステップＳ２５においては、所定時間（例えば、２秒など）が経過したか否かを判定する。
この判定結果が「ＮＯ」の場合には、リターンに進む。
一方、この判定結果が「ＹＥＳ」の場合、つまりドアを施錠するための所定条件が成立したことを判定して第１の判定結果の信号を出力した以後に、車両外部の所定領域内に発信した応答要求信号に対する応答信号が受信されなくなってから所定期間（例えば、２秒など）が経過した場合には、ステップＳ２６に進む。
【００４１】
そして、ステップＳ２６においては、例えば図５に示す時刻ｔ２および上記表２に示すオートロック作動の動作のように、車両インジケータ３７で緑色点滅を終了して、消灯し、さらに、ステップＳ２７に進み、ステップＳ２７においては、車両ブザー３６で２回吹鳴を行なう。
そして、ステップＳ２８においては、ドアロックアクチュエータ３５を駆動して車両の全てのドアを施錠して、リターンに進む。
なお、車両の全てのドアを施錠するときには、例えば図５に示す時刻ｔ２のように、さらに、車両のハザードランプ（図示略）を３回点滅させてもよいし、ドアミラー４１を閉に格納してもよい。
【００４２】
また、ステップＳ２９においては、第２の判定結果の信号を出力し、上記表２に示すオートロックモード解除の動作のように、車両インジケータ３７で緑色点滅を終了して、緑色消灯し、かつ赤色点灯を行ない、さらに、ステップＳ３０に進み、このステップＳ３０においては、車両ブザー３６で６回吹鳴を行なうことによって、第２の態様での報知を実行し、ステップＳ３１に進む。
そして、ステップＳ３１においては、オートロックモード起動フラグのフラグ値に「０」を設定して、リターンに進む。
【００４３】
上述したように、本実施の形態による車両施錠装置１０によれば、ドアを施錠するための所定条件が成立したか否か、あるいは、ドアの施錠を禁止する条件が成立したか否か、さらには、各条件の成立の遷移状態を、車両外部の乗員に認識可能に報知することから、利便性を向上させることができる。
また、ドアを施錠するための所定条件が成立して第１の態様で報知が行なわれた後に、ドアの施錠を禁止する条件が成立した場合には、第１の態様とは異なる第２の態様で報知が行なわれることから、ドアが施錠されると乗員が誤認識している場合であっても、ドアの施錠が禁止されていることを認識させることができ、車両の防盗性が損なわれてしまうことを防止することができる。
【００４４】
さらに、携帯機１１が車両内部から車両外部に持ち出された後に、例えばドアの開閉や窓の隙間からの車両内部への投げ込みなどよって、再び携帯機１１が車両内部に戻された場合には、ドアの施錠が禁止されることから、携帯機１１の車内への閉じ込みの発生を的確に防止することができる。
さらに、ドアを施錠するための所定条件が成立する可能性がある場合と無い場合とで異なる態様で報知を行なうことから、状態の遷移を乗員に明確に認識させることができる。
さらに、携帯機１１を所持する乗員と車両との間の距離に応じて適切な表示状態で報知を行なうことができ、視認性を向上させることができる。
【００４５】
以下に、上述した実施の形態の変形例に係る車両施錠装置１０の動作として、距離検出部３３から出力される検出結果の信号に応じて車両インジケータ３７の表示の動作状態を変更するオートロック作動処理について説明する。
【００４６】
先ず、例えば図６に示すステップＳ４１においては、オートロックモード起動フラグのフラグ値に「１」が設定されているか否かを判定する。
この判定結果が「ＮＯ」の場合には、リターンに進む。
一方、この判定結果が「ＹＥＳ」の場合には、ステップＳ４２に進む。
【００４７】
そして、ステップＳ４２においては、車両内部の所定領域内に発信した応答要求信号に対する応答信号が受信されたか否かを判定する。
この判定結果が「ＹＥＳ」の場合には、後述するステップＳ５６に進む。
一方、この判定結果が「ＮＯ」の場合には、ステップＳ４３に進む。
そして、ステップＳ４３においては、車両外部の所定領域内に発信した応答要求信号に対する応答信号が受信されたか否かを判定する。
この判定結果が「ＮＯ」の場合には、ステップＳ５２に進む。  
一方、この判定結果が「ＹＥＳ」の場合には、ステップＳ４４に進む。
【００４８】
そして、ステップＳ４４においては、携帯機１１と車載装置１２との間の距離が第１距離未満であるか否かを判定する。
この判定結果が「ＹＥＳ」の場合には、ステップＳ４５に進み、このステップＳ４５においては、車両インジケータ３７の発光の輝度を低輝度として、さらに、ステップＳ４６に進み、このステップＳ４６においては、車両インジケータ３７で低速の緑色点滅を行い、リターンに進む。
一方、この判定結果が「ＮＯ」の場合には、ステップＳ４７に進む。
【００４９】
そして、ステップＳ４７においては、携帯機１１と車載装置１２との間の距離が第１距離よりも長い第２距離未満であるか否かを判定する。
この判定結果が「ＹＥＳ」の場合には、ステップＳ４８に進み、このステップＳ４８においては、車両インジケータ３７の発光の輝度を低輝度よりも明るい中輝度として、さらに、ステップＳ４９に進み、このステップＳ４９においては、車両インジケータ３７で低速よりも速い中速の緑色点滅を行い、リターンに進む。
一方、この判定結果が「ＮＯ」の場合には、ステップＳ５０に進み、このステップＳ５０においては、車両インジケータ３７の発光の輝度を中輝度よりも明るい高輝度として、さらに、ステップＳ５１に進み、このステップＳ５１においては、車両インジケータ３７で中速よりも速い高速の緑色点滅を行い、リターンに進む。
【００５０】
また、ステップＳ５２においては、所定時間（例えば、２秒など）が経過したか否かを判定する。
この判定結果が「ＮＯ」の場合には、リターンに進む。
一方、この判定結果が「ＹＥＳ」の場合、つまりドアを施錠するための所定条件が成立したことを判定して第１の判定結果の信号を出力した以後に、車両外部の所定領域内に発信した応答要求信号に対する応答信号が受信されなくなってから所定期間（例えば、２秒など）が経過した場合には、ステップＳ５３に進む。
【００５１】
そして、ステップＳ５３においては、例えば図５に示す時刻ｔ２および上記表２に示すオートロック作動の動作のように、車両インジケータ３７で緑色点滅を終了して、消灯し、さらに、ステップＳ５４に進み、ステップＳ５４においては、車両ブザー３６で２回吹鳴を行なう。
そして、ステップＳ５５においては、ドアロックアクチュエータ３５を駆動して車両の全てのドアを施錠して、リターンに進む。
なお、車両の全てのドアを施錠するときには、例えば図５に示す時刻ｔ２のように、さらに、車両のハザードランプ（図示略）を３回点滅させてもよいし、ドアミラー４１を閉に格納してもよい。
【００５２】
また、ステップＳ５６においては、第２の判定結果の信号を出力し、上記表２に示すオートロックモード解除の動作のように、車両インジケータ３７で緑色点滅を終了して、緑色消灯し、かつ赤色点灯を行ない、さらに、ステップＳ５７に進み、このステップＳ５７においては、車両ブザー３６で６回吹鳴を行なうことによって、第２の態様での報知を実行し、ステップＳ３１に進む。
そして、ステップＳ５８においては、オートロックモード起動フラグのフラグ値に「０」を設定して、リターンに進む。
【００５３】
なお、上述した実施の形態においては、車両インジケータ３７の表示のうち、点灯および点滅と発光色とを制御したが、これに限定されず、例えば点滅は行なわずに発光色を変更して報知を区別するように制御してもよいし、例えば下記表３に示すように、単色での点灯および点滅を制御してもよい。
この場合には、例えば、オートロックモード未起動の動作として、車両インジケータ３７で単色の点灯を行なう。そして、オートロックモード起動およびオートロック作動前の動作として、車両インジケータ３７で単色の点滅を行なう。そして、オートロック作動の動作として、車両インジケータ３７で単色の点滅を終了し、消灯する。
また、車両インジケータ３７および携帯機インジケータ２４では、灯体の発光に限定されず、文字や画像による表示が行なわれてもよい。
【００５４】
【表３】
0005550949.tif 000004
【００５５】
なお、上述した実施の形態での車両施錠装置１０の動作においては、車両ブザー３６と車両インジケータ３７とにより車両外部に存在する乗員が認識可能な報知を行なったが、これに限定されず、さらに、第１〜第３の判定結果の信号などを無線通信部３１から携帯機１１の無線通信部２１に送信して、携帯機ブザー２３と携帯機インジケータ２４とにより車両外部で携帯機１１を所持する乗員が認識可能な報知を行なってもよい。
この場合には、車両周辺での視認性が良好ではない場合（例えば、昼間時など）や車両周囲の騒音が大きい場合などにおいて、車両ブザー３６および車両インジケータ３７による報知の認識が困難な場合であっても、携帯機１１から報知を行なうことで的確に乗員に認識させることができ、利便性を向上させることができる。
【００５６】
なお、上述した実施の形態において、携帯機１１の無線通信部２１と車載装置１２の無線通信部３１との間で無線通信の接続が確立される際には、安全性を向上させるために、固有の識別番号などによる認証が行なわれてもよい。
【符号の説明】
【００５７】
１０  車両施錠装置
１１  携帯機
１２  車載装置
２３  携帯機ブザー（報知手段、携帯機側報知手段）
２４  携帯機インジケータ（報知手段、携帯機側報知手段）
３１  無線通信部（車両側送受信手段）
３２  ドア開閉検出部（全ドア閉検出手段、ドア開検出手段）
３３  距離検出部（距離検出手段）
３４  制御部（施錠条件判定手段）
３６  車両ブザー（報知手段）
３７  車両インジケータ（報知手段）
【図１】
0005550949.tif 000005
【図２】
0005550949.tif 000006
【図３】
0005550949.tif 000007
【図４】
0005550949.tif 000008
【図５】
0005550949.tif 000009
【図６】
0005550949.tif 000010